(57)【要約】【解決すべき課題】番組の所定のシーンのみ録画させるといった録画の制御を、視聴者に負担をかけず放送局側から制御する技術を提供すること。【課題を解決するための手段】放送局１では、映像・音声を放送する一方、映像・音声の一部を受信機２に録画させる録画制御子を録画制御子生成部１０により生成し、多重化部１１により、映像・音声と録画制御子とを多重し、送信設備１２より送信する。受信機２では、受信部２０により、映像・音声を受信し、分離部２１により、映像・音声から、制御子と映像・音声とを分離する。録画制御部２５は、制御子が録画制御子であるかを判断し、録画制御子である場合には、録画対象識別情報に基づいて、録画の対象となる映像・音声を識別し、録画開始の指示なのか、録画終了の指示なのかを判別する。そして、時間情報に基づいて、その時間から録画の開始又は終了を行う。【選択図】  図５
2004274107.tif 000002
【特許請求の範囲】
【請求項１】
放送録画視聴制御システムであって、
映像・音声と、受信機における前記映像・音声の録画の許可を制御する為の録画制御子とを送出する放送局と、
前記録画制御子に基づいて、映像・音声を録画する受信機と
を有することを特徴とする放送録画視聴制御システム。
【請求項２】
前記放送局は、受信機に録画された映像・音声の再生の許可を制御する為の再生制御子を送出する手段を有し、
前記受信機は、前記再生制御子に基づいて、映像・音声を再生する手段を有することを特徴とする請求項１に記載の放送録画視聴制御システム。
【請求項３】
放送録画視聴制御システムであって、
映像・音声の録画の開始時、又は映像・音声の録画の終了時を指定する録画制御子を生成する手段と、
映像・音声と、前記映像・音声の録画制御子とを多重化する多重化手段と、
前記録画制御子が多重化された映像・音声を送信する手段と
を有する放送局と、
映像・音声と、映像・音声の録画制御子とを分離する手段と、
映像・音声が記憶される記憶手段と、
前記分離された録画制御子に基づいて録画の開始時又は終了時を判断し、指定された開始時から受信した映像・音声を前記記憶手段に格納して録画し、指定された終了時に前記映像・音声の前記記憶手段への格納をやめて録画を中止する格納手段と、
を有する受信機と
を有することを特徴とする放送録画視聴制御システム。
【請求項４】
放送局は、録画された映像・音声の再生を許可又は禁止する再生制御子を生成し、受信機に送信する手段を有し、
受信機は、映像・音声が表示される表示手段と、前記記憶手段に格納された映像・音声をデコードし、前記表示手段に映像・音声を再生する再生手段と、前記再生制御子に基づいて、前記再生手段における録画された映像・音声の再生の許可又は禁止を判断し、再生を制御する再生制御手段とを有することを特徴とする請求項３に記載の放送録画視聴制御システム。
【請求項５】
放送された映像・音声の受信機側での録画を制御するシステムにおける放送局であって、
映像・音声の録画の開始時又終了時を指定して、受信機の録画を制御する録画制御子を生成する手段と、
映像・音声と、前記映像・音声の録画制御子とを多重化する多重化手段と、
前記録画制御子が多重化された映像を送信する手段と
を有することを特徴とする放送局。
【請求項６】
受信機に録画された映像・音声の再生を許可又は禁止する再生制御子を生成し、受信機に送信する手段を更に有することを特徴とする請求項５に記載の放送局。
【請求項７】
放送局から送信される映像・音声の録画を制御する録画制御子に基づいて、録画を制御する受信機であって、
映像・音声と、前記映像・音声の録画制御子とを分離する手段と、
映像・音声が記憶される記憶手段と、
前記分離された録画制御子に基づいて録画の開始時又は終了時を判断し、指定された開始時から受信した映像・音声を前記記憶手段に格納して録画し、指定された終了時に前記映像・音声の前記記憶手段への格納をやめて録画を中止する格納手段と
を有することを特徴とする受信機。
【請求項８】
既に録画した映像・音声の再生を、放送局から送信される差製制御子に基づいて、再生を制御する受信機であって、
映像・音声が表示される表示手段と、
映像・音声が記憶される記憶手段と、
前記記憶手段に格納された映像をデコードし、前記表示手段に映像・音声を再生する再生手段と、
前記再生制御子に基づいて、前記再生手段における録画された映像・音声の再生の許可又は禁止を判断し、再生を制御する再生制御手段と
を有することを特徴とする受信機。
【請求項９】
放送局から送信される映像・音声の録画を制御する録画制御子に基づいて、録画を制御する受信機における情報処理装置のプログラムであって、
前記プログラムは前記情報処理装置を、
映像・音声から分離された録画制御子に基づいて、録画の開始時又は終了時を判断する手段と、
受信した映像・音声を、前記判断した開始時から、受信機の記憶手段に格納して録画し、前記判断した終了時に前記映像・音声の前記記憶手段への格納をやめて録画を中止する格納手段と
して機能させることを特徴とする受信機における情報処理装置のプログラム。
【請求項１０】
既に録画した映像・音声の再生を、放送局から送信される差製制御子に基づいて、再生を制御する受信機における情報処理装置のプログラムであって、
前記プログラムは前記情報処理装置を、
再生制御子に基づいて、録画された映像・音声の再生の許可又は禁止を判断する判断手段と、
前記判断手段の結果に基づいて、録画された映像・音声の再生が許可されている場合、映像・音声をデコードするデコーダを制御して映像・音声を再生させる再生制御手段と
して機能させることを特徴とする受信機における情報処理装置のプログラム。
【発明の詳細な説明】
【０００１】
【発明が属する技術分野】
本発明は放送録画視聴制御システムに関し、特に、受信機に、ある番組の所定のシーンのみを録画させるといった録画の制御を、放送局側から制御する技術に関する。
【０００２】
【従来の技術】
放送される番組の中で、特に印象に残るシーンのみをハイライトシーンとして、番組中に放送する場合がある。このハイライトシーンは、視聴者にとって、録画して再度視聴したいと思うものである。
【０００３】
【発明が解決しようとする課題】
しかしながら、現在、シーン単位で録画を行うことは、視聴者にとって不可能な場合が多い。何故なら、ハイライトシーン等は、放送局側で任意に設定されるものであって、視聴者には予め放送時間が判らず、録画の設定ができないからである。
【０００４】
そこで、本発明は上記問題点に鑑みて発明されたものであって、ある番組の所定のシーンのみ録画させるといった録画の制御を、視聴者に負担をかけず放送局側から制御する技術を提供することにある。
【０００５】
また、本発明の目的は、録画された映像・音声の再生も放送局側で制御可能な技術を提供することにある。
【０００６】
【課題を解決するための手段】
【０００７】
上記本発明の目的を達成する第１の発明は、放送録画視聴制御システムであって、
映像・音声と、受信機における前記映像・音声の録画の許可を制御する為の録画制御子とを送出する放送局と、
前記録画制御子に基づいて、映像・音声を録画する受信機と
を有することを特徴とする。
【０００８】
上記本発明の目的を達成する第２の発明は、上記第１の発明において、前記放送局は、受信機に録画された映像・音声の再生の許可を制御する為の再生制御子を送出する手段を有し、
前記受信機は、前記再生制御子に基づいて、映像・音声を再生する手段を有することを特徴とする。
【０００９】
上記本発明の目的を達成する第３の発明は、放送録画視聴制御システムであって、
映像・音声の録画の開始時、又は映像・音声の録画の終了時を指定する録画制御子を生成する手段と、
映像・音声と、前記映像・音声の録画制御子とを多重化する多重化手段と、
前記録画制御子が多重化された映像・音声を送信する手段と
を有する放送局と、
映像・音声と、映像・音声の録画制御子とを分離する手段と、
映像・音声が記憶される記憶手段と、
前記分離された録画制御子に基づいて録画の開始時又は終了時を判断し、指定された開始時から受信した映像・音声を前記記憶手段に格納して録画し、指定された終了時に前記映像・音声の前記記憶手段への格納をやめて録画を中止する格納手段と、
を有する受信機と
を有することを特徴とする。
【００１０】
上記本発明の目的を達成する第４の発明は、上記第１の発明において、放送局は、録画された映像・音声の再生を許可又は禁止する再生制御子を生成し、受信機に送信する手段を有し、
受信機は、映像・音声が表示される表示手段と、前記記憶手段に格納された映像・音声をデコードし、前記表示手段に映像・音声を再生する再生手段と、前記再生制御子に基づいて、前記再生手段における録画された映像・音声の再生の許可又は禁止を判断し、再生を制御する再生制御手段とを有することを特徴とする。
【００１１】
上記本発明の目的を達成する第５の発明は、放送された映像・音声の受信機側での録画を制御するシステムにおける放送局であって、
映像・音声の録画の開始時又終了時を指定して、受信機の録画を制御する録画制御子を生成する手段と、
映像・音声と、前記映像・音声の録画制御子とを多重化する多重化手段と、
前記録画制御子が多重化された映像を送信する手段と
を有することを特徴とする。
【００１２】
上記本発明の目的を達成する第６の発明は、上記第５の発明において、受信機に録画された映像・音声の再生を許可又は禁止する再生制御子を生成し、受信機に送信する手段を更に有することを特徴とする。
【００１３】
上記本発明の目的を達成する第７の発明は、放送局から送信される映像・音声の録画を制御する録画制御子に基づいて、録画を制御する受信機であって、
映像・音声と、前記映像・音声の録画制御子とを分離する手段と、
映像・音声が記憶される記憶手段と、
前記分離された録画制御子に基づいて録画の開始時又は終了時を判断し、指定された開始時から受信した映像・音声を前記記憶手段に格納して録画し、指定された終了時に前記映像・音声の前記記憶手段への格納をやめて録画を中止する格納手段と
を有することを特徴とする。
【００１４】
上記本発明の目的を達成する第８の発明は、既に録画した映像・音声の再生を、放送局から送信される差製制御子に基づいて、再生を制御する受信機であって、
映像・音声が表示される表示手段と、
映像・音声が記憶される記憶手段と、
前記記憶手段に格納された映像をデコードし、前記表示手段に映像・音声を再生する再生手段と、
前記再生制御子に基づいて、前記再生手段における録画された映像・音声の再生の許可又は禁止を判断し、再生を制御する再生制御手段と
を有することを特徴とする。
【００１５】
上記本発明の目的を達成する第９の発明は、放送局から送信される映像・音声の録画を制御する録画制御子に基づいて、録画を制御する受信機における情報処理装置のプログラムであって、
前記プログラムは前記情報処理装置を、
映像・音声から分離された録画制御子に基づいて、録画の開始時又は終了時を判断する手段と、
受信した映像・音声を、前記判断した開始時から、受信機の記憶手段に格納して録画し、前記判断した終了時に前記映像・音声の前記記憶手段への格納をやめて録画を中止する格納手段と
して機能させることを特徴とする。
【００１６】
上記本発明の目的を達成する第１０の発明は、既に録画した映像・音声の再生を、放送局から送信される差製制御子に基づいて、再生を制御する受信機における情報処理装置のプログラムであって、
前記プログラムは前記情報処理装置を、
再生制御子に基づいて、録画された映像・音声の再生の許可又は禁止を判断する判断手段と、
前記判断手段の結果に基づいて、録画された映像・音声の再生が許可されている場合、映像・音声をデコードするデコーダを制御して映像・音声を再生させる再生制御手段と
して機能させることを特徴とする。
【００１７】
【発明の実施の形態】
本発明の第１の実施の形態を説明する。
【００１８】
図１は第１の実施の形態のブロック図である。
図１中、１は放送局、２は受信機である。
【００１９】
図２は放送局１のブロック図である。
図２中、１０は受信機２の録画を制御する録画制御子を生成する録画制御子生成部である。
【００２０】
録画制御子について説明する。録画制御子は、放送している映像・音声ストリームの受信機２での録画を制御するものであって、録画の開始時、又は録画の終了時を指定するものである。そして、デジタル放送では、イベントメッセージ等で実現される。
【００２１】
ここで、録画制御子のフォーマットの一例を示す。例えば、録画制御子は、図３に示される如く、制御子が録画制御子であることを識別する識別情報と、録画の対象となる映像・音声ストリームを識別する録画対象識別情報と、録画開始の指示なのか、録画終了の指示なのかを識別する制御識別情報と、録画の開始時又は録画の終了時を識別する時間情報とから成る。尚、本例では、録画の開始時又は録画の終了時の情報として、映像のフレーム毎に付されているタイムコードを用いる例を説明するが、実時間であるＴＤＴ（Ｔｉｍｅ  Ｄａｔｅ  Ｔａｂｌｅ）を用いるようにしても良い。
【００２２】
また、録画制御子生成部１０による録画制御子の生成タイミングであるが、放送映像の切り替えを行うスイッチャ１３から出力されるＯＡタリー信号のＯＮ又はＯＦＦのタイミングで行われる。例えば、スイッチャ１３により、放送する映像が録画させたいハイライトシーン等に切り換えられた場合、又は、そのシーンが通常の放送に切り換えられた場合、そのハイライトシーン等のＯＡタリー信号のＯＮ・ＯＦＦを受けて、録画制御子生成部１０はハイライトシーン等の録画を制御する録画制御子を生成する。
【００２３】
１１は多重化部である。この多重化部１１は、ＭＰＥＧ２などでエンコードされた映像・音声ストリームと録画制御子生成部１０で生成された録画制御子とを多重化するものである。尚、映像・音声ストリームには、番組を識別する為の識別情報が付されている。
【００２４】
１２は送信設備であり、録画制御子が多重化された映像・音声ストリームを受信機２に送信するものである。
【００２５】
次に、受信機２について説明する。
図４は受信機２のブロック図である。
【００２６】
図４中、２０は録画制御子が多重化された映像・音声ストリームを受信する受信部である。
【００２７】
２１は分離部である。この分離部２１は、各制御子が多重化されている映像・音声ストリームから、制御子と映像・音声ストリームとを分離するものである。
【００２８】
２２はデコーダである。このデコーダ２２は、分離部２１で分離された映像・音声ストリームをデコードするものである。
【００２９】
２３はデコードされた映像・音声が表示・出力されるディスプレイである。
【００３０】
２４は映像・音声データが格納される、ハードディスク等の記憶部である。
【００３１】
２５は録画制御部である。この録画制御部２５は、録画制御子に基づいて、受信した映像・音声ストリームの記憶部２５への格納（録画）を制御するものである。録画制御部２５は、制御子の識別情報から制御子が録画制御子であることを判断し、録画対象識別情報に基づいて、録画の対象となる映像・音声ストリームを識別する。次に、制御識別情報及び時間情報に基づいて、録画開始の指示なのか、録画終了の指示なのかを判別し、その時間を判断する。そして、録画開始の指示ならば、時間情報のタイムコードに示されるフレームから映像・音声ストリームを記憶部２５に格納するように構成されている。一方、録画終了の指示ならば、時間情報のタイムコードに示されるフレームで、映像・音声ストリームの記憶部２５への格納を中止するように構成されている。
【００３２】
次に、具体的な例を用いて、第１の実施の形態の動作を説明する。
【００３３】
図５は第１の実施の形態の動作フローチャートであり、図６は動作の説明をする為の図である。
【００３４】
まず、録画の開始制御について説明する。
尚、本動作の説明において、映像・音声ストリームの例として野球中継の番組を例にし、この映像・音声ストリームの録画対象識別情報を“１００”として説明する。また、録画制御子を識別する識別情報として“ａａａ”、制御識別情報として録画の開始の指示を“１”、録画の終了の指示を“０”として説明する。また、録画の開始時又は録画の終了時として、映像に付されるタイムコードを用いる。また、映像・音声ストリームには番組を識別する識別情報として“１００”が付されているものとする。
【００３５】
放送局１では、図６に示される如く、野球中継の番組の映像・音声ストリームを放送する一方、例えば、ハイライトシーンＡを受信機２に録画させる録画制御子を録画制御子生成部１０により生成する。
【００３６】
まず、録画制御子生成部１０は、録画制御子であることを示す識別情報として“ａａａ”を、録画対象識別情報に野球中継の番組であることを示す“１００”を、制御識別情報として録画の開始の指示であることを示す  “１”を、録画の開始時として“１９：３０：００”を付与して録画制御子を生成する（Ｓｔｅｐ１００）。
【００３７】
続いて、多重化部１１により、エンコードされた映像・音声ストリームと録画制御子生成部１０で生成された録画制御子とが多重され（Ｓｔｅｐ  １０１）、送信設備１２より送信される（Ｓｔｅｐ  １０２）。
【００３８】
受信機２では、受信部２０により、映像・音声ストリームを受信し（Ｓｔｅｐ１０３）、分離部２１により、映像・音声ストリームから、制御子と映像・音声ストリームとを分離する（Ｓｔｅｐ  １０４）。
【００３９】
次に、録画制御部２５は、制御子が録画制御子であるかを判断する（Ｓｔｅｐ１０５）。本例では、識別情報が“ａａａ”なので、制御子が録画制御子である。
【００４０】
制御子が録画制御子である場合には（Ｓｔｅｐ  １０６）、録画対象識別情報に基づいて、録画の対象となる映像・音声ストリームを識別する（Ｓｔｅｐ  １０７）。本例では、録画対象識別情報が“１００”なので、録画対象が野球中継の番組の映像・音声ストリームである。
【００４１】
続いて、制御識別情報に基づいて、録画開始の指示なのか、録画終了の指示なのかを判別する（Ｓｔｅｐ  １０８）。本例では、制御識別情報が“１”であるので、録画の開始指示である。
【００４２】
そして、時間情報に基づいて、録画開始時間を判断し（Ｓｔｅｐ  １０９）、録画を開始する（Ｓｔｅｐ  １１０）。本例では、時間情報が“１９：３０：００”なので、タイムコードが“１９：３０：００”のフレームより、録画を開始する。すなわち、映像・音声ストリームを記憶部２４に格納し始める。
【００４３】
このようにして、受信機２における録画の開始を制御することができる。
【００４４】
続いて、録画終了の制御について説明する。
尚、識別情報等については、上述の説明と同様のものを用いる。
【００４５】
放送局１では、図６に示される如く、野球中継の番組の映像・音声ストリームを放送する一方、例えば、ハイライトシーンＡの受信機２における録画を終了させる録画制御子を録画制御子生成部１０により生成する。
【００４６】
まず、録画制御子生成部１０は、制御子が録画制御子であることを示す識別情報として“ａａａ”を、録画対象識別情報に野球中継の番組であることを示す“１００”を、制御識別情報として録画終了の指示であることを示す  “０”を、録画の終了時として“１９：３１：００”を付与して録画制御子を生成する（Ｓｔｅｐ  １００）。
【００４７】
続いて、多重化部１１により、エンコードされた映像・音声ストリームと録画制御子生成部１０で生成された録画制御子とが多重され（Ｓｔｅｐ  １０１）、送信設備１２より送信される（Ｓｔｅｐ  １０２）。
【００４８】
受信機２では、受信部２０により、映像・音声ストリームを受信し（Ｓｔｅｐ１０３）、分離部２１により、映像・音声ストリームから、録画制御子と映像・音声ストリームとを分離する（Ｓｔｅｐ  １０４）。
【００４９】
次に、録画制御部２５は、制御子が録画制御子であるかを判断する（Ｓｔｅｐ１０５）。本例では、識別情報が“ａａａ”なので、制御子が録画制御子である。
【００５０】
制御子が録画制御子である場合には（Ｓｔｅｐ  １０６）、録画対象識別情報に基づいて、録画の対象となる映像・音声ストリームを識別する（Ｓｔｅｐ  １０７）。本例では、録画対象識別情報が“１００”なので、録画対象が野球中継の番組の映像・音声ストリームである。
【００５１】
続いて、制御識別情報に基づいて、録画の開始の指示なのか、録画の終了の指示なのかを判別する（Ｓｔｅｐ  １０８）。本例では、制御識別情報が“０”であるので、録画終了の指示である。
【００５２】
そして、時間情報に基づいて、その時間を判断し（Ｓｔｅｐ  １１１）、録画を終了する（Ｓｔｅｐ  １１２）。本例では、時間情報が“１９：３１：００”なので、タイムコードが“１９：３１：００”のフレームで録画を終了する。すなわち、映像・音声ストリームの記憶部２４への格納を中止する。
このようにして録画の終了を放送局側から制御することができる。
【００５３】
第２の実施の形態を説明する。
【００５４】
第１の実施の形態は、放送局側から受信機の録画を制御し、放送局で指定するシーンを受信機に録画させるように構成した。そして、受信機に録画した映像の視聴は、番組途中のコマーシャルの放送時に視聴することも可能である。
【００５５】
しかしながら、放送局としては、コマーシャルの放映時に録画された映像を視聴されことは好ましくない場合もある。
【００５６】
そこで、第２の実施の形態では、録画された映像・音声の再生も放送局側から制御するように構成し、録画された映像であっても、コマーシャル等の放映時には視聴を禁止するようにしたことを特徴とする。
【００５７】
上記の特徴を達成する為に、第２の実施の形態では、図７に示される如く、受信機２で録画されている映像・音声の再生を制御する再生制御子を生成する再生制御子生成部３０を、放送局１に新たに設ける。再生制御子生成部３０で生成される再生制御子は、上述した録画制御子と同様なフォーマットで構成され、識別情報には再生制御子であることを示す情報が記載され、録画対象識別情報に再生の制御の対象となる番組の識別情報が記載され、制御識別情報として再生禁止の開始の指示であるか、再生禁止の解除の指示であるかを示す情報が記載され、各指示の開始時間が時間情報として記載される。
【００５８】
また、再生制御子生成部３０による再生制御子の生成タイミングであるが、録画制御子の生成タイミングと同様に、放送映像の切り替えを行うスイッチャ１３から出力されるＯＡタリー信号のＯＮ又はＯＦＦのタイミングで行われる。例えば、スイッチャ１３により、放送する映像がコマーシャルに切り換えられた場合、又は、そのシーンが通常の放送に切り換えられた場合、そのコマーシャルのＯＡタリー信号のＯＮ・ＯＦＦを受けて、再生制御子生成部１０は録画されている映像の再生を制御する録画制御子を生成する。
【００５９】
更に、第２の実施の形態では、図８に示される如く、再生制御部４０を受信機２に新たに設ける。この再生制御部４０は、放送局１から送信される再生制御子に基づいて、記憶部２４に格納されている映像・音声の再生を許可又は禁止する制御を行う。
【００６０】
次に、第２の実施の形態の動作を説明する。
図９は第２の実施の形態の動作フローチャートであり、図１０は動作の説明をする為の図である。
【００６１】
まず、再生禁止の開始の制御について説明する。
【００６２】
尚、本動作の説明において、受信機２で録画されている映像・音声ストリームの例として野球中継の番組を例にし、この映像・音声ストリームの録画対象識別情報を“１００”として説明する。また、制御子が再生制御子を識別する識別情報として“ｂｂｂ”、制御識別情報として再生禁止の開始の指示を“１”、再生禁止の解除の指示を“０”として説明する。また、再生禁止の開始時又は再生禁止の解除時として、映像に付されるタイムコードを用いる。
【００６３】
また、受信機２では、第１の実施の形態で説明した野球中継の番組の映像・音声ストリームのハイライトシーンＡが録画されているものとする。
【００６４】
放送局１では、図１０に示される如く、野球中継の番組の映像・音声ストリームを放送後、コマーシャル放映時に録画させたハイライトシーンＡの再生を禁止する再生制御子を再生制御子生成部３０により生成する。
【００６５】
まず、再生制御子生成部３０は、再生制御子であることを示す識別情報として“ｂｂｂ”を、録画対象識別情報に野球中継の番組であることを示す“１００”を、制御識別情報として再生禁止の開始の指示であることを示す  “１”を、再生禁止の開始時として“１９：３１：０１”を付与して再生制御子を生成する（Ｓｔｅｐ  ２００）。
【００６６】
続いて、多重化部１１により、エンコードされた映像・音声ストリームと再生制御子生成部３０で生成された再生制御子とが多重され（Ｓｔｅｐ  ２０１）、送信設備１２より送信される（Ｓｔｅｐ  ２０２）。
【００６７】
受信機２では、受信部２０により、映像・音声ストリームを受信し（Ｓｔｅｐ２０３）、分離部２１により、映像・音声ストリームから、制御子と映像・音声ストリームとが分離される（Ｓｔｅｐ  ２０４）。
【００６８】
次に、再生制御部４０は、制御子が再生制御子であるかを判断する（Ｓｔｅｐ２０５）。本例では、識別情報が“ｂｂｂ”なので、制御子が再生制御子である。
【００６９】
制御子が再生制御子である場合には（Ｓｔｅｐ  ２０６）、録画対象識別情報に基づいて、再生禁止の対象となる映像・音声ストリームを識別する（Ｓｔｅｐ２０７）。本例では、録画対象識別情報が“１００”なので、再生禁止録画対象が野球中継の番組の映像・音声ストリームである。
【００７０】
続いて、制御識別情報に基づいて、再生禁止の開始の指示なのか、再生禁止の解除の指示なのかを判別する（Ｓｔｅｐ  ２０８）。本例では、制御識別情報が“１”であるので、再生禁止の開始指示である。
【００７１】
そして、時間情報に基づいて、再生禁止開始時間を判断し（Ｓｔｅｐ  ２０９）、再生禁止を開始する（Ｓｔｅｐ  ２１０）。本例では、時間情報が“１９：３１：０１”なので、タイムコードが“１９：３１：０１”のフレームより、録画されている野球中継の番組の映像・音声ストリーム、例えば、第１の実施の形態で述べたハイライトシーンＡの再生の禁止を開始する。すなわち、ユーザからの操作では、録画されているハイライトシーンＡの再生ができない。
【００７２】
このようにして、受信機側２における録画されているシーンの再生を制御することができる。
【００７３】
続いて、再生禁止の解除の制御について説明する。
【００７４】
尚、識別情報等については、上述の説明と同様のものを用いる。
【００７５】
放送局１では、図１０に示される如く、野球中継の番組の映像・音声ストリームを放送する一方、例えば、録画されているハイライトシーンＡの再生の禁止を解除させる再生制御子を再生制御子生成部３０により生成する。
【００７６】
まず、再生制御子生成部３０は、録画制御子であることを示す識別情報として“ｂｂｂ”を、録画対象識別情報に野球中継の番組であることを示す“１００”を、制御識別情報として再生禁止の解除の指示であることを示す  “０”を、再生禁止の解除時として“１９：３３：００”を付与して録画制御子を生成する（Ｓｔｅｐ  ２００）。
【００７７】
続いて、多重化部１１により、エンコードされた映像・音声ストリームと再生制御子生成部３０で生成された再生制御子とが多重され（Ｓｔｅｐ  ２０１）、送信設備１２より送信される（Ｓｔｅｐ  ２０２）。
【００７８】
受信機２では、受信部２０により、映像・音声ストリームを受信し（Ｓｔｅｐ２０３）、分離部２１により、映像・音声ストリームから、制御子と映像・音声ストリームとを分離する（Ｓｔｅｐ  ２０４）。
【００７９】
次に、再生制御部３１は、制御子が再生制御子であるかを判断する（Ｓｔｅｐ２０５）。本例では、識別情報が“ｂｂｂ”なので、制御子が再生制御子である。
【００８０】
制御子が再生制御子である場合には（Ｓｔｅｐ  ２０６）、録画対象識別情報に基づいて、再生禁止の対象となる映像・音声ストリームを識別する（Ｓｔｅｐ２０７）。本例では、録画対象識別情報が“１００”なので、録画対象が野球中継の番組の映像・音声ストリームである。
【００８１】
続いて、制御識別情報に基づいて、再生禁止の開始の指示なのか、再生禁止の解除の指示なのかを判別する（Ｓｔｅｐ  ２０８）。本例では、制御識別情報が“０”であるので、再生禁止の解除の指示である。
【００８２】
そして、時間情報に基づいて、その時間を判断し（Ｓｔｅｐ  ２１１）、再生禁止を解除する（Ｓｔｅｐ  ２１２）。本例では、時間情報が“１９：３３：００”なので、タイムコードが“１９：３３：００”のフレームから再生禁止を解除する。すなわち、録画されている野球中継の番組の映像・音声ストリーム、例えば、第１の実施の形態で述べたハイライトシーンＡの再生禁止を解除する。すなわち、ユーザからの操作で、自由に録画されているハイライトシーンＡの再生を行うことができ、視聴することができる。
【００８３】
このようにして、受信機２で録画されているシーンの再生を制御することができる。
【００８４】
【発明の効果】
本発明によれば、ある番組の所定のシーンのみ録画させるといった録画の制御を、放送局側からの制御するように構成したので、視聴者に負担をかけずにシーン単位での録画ができるという優れた効果を奏する。
【００８５】
また、本発明によれば、放送局側からの制御により録画されている映像・音声の再生も放送局側で制御するように構成したので、視聴者に観てもらいたいシーン時に、視聴者が録画してある別のシーンを観てしまうといったこともない。
【図面の簡単な説明】
【図１】図１は第１の実施の形態のブロック図である。
【図２】図２は放送局１のブロック図である。
【図３】図３は録画制御子を説明する為の図である。
【図４】図４は受信機２のブロック図である。
【図５】図５は第１の実施の形態の動作フローチャートである。
【図６】図６は動作の説明をする為の図である。
【図７】図７は第２の実施の形態における放送局のブロック図である。
【図８】図８は第２の実施の形態における受信機のブロック図である。
【図９】図９は第２の実施の形態の動作フローチャートである。
【図１０】図１０は動作の説明をする為の図である。
【符号の説明】
１      放送局
２      受信機
１０    録画制御子生成部
１１    多重化部
１２    送信設備
１３    スイッチャ
２０    受信部
２１    分離部
２２    デコーダ
２３    ディスプレイ
２４    記憶部
２５    録画制御部
３０    再生制御子生成部
４０    再生制御部
【図１】
2004274107.tif 000003
【図２】
2004274107.tif 000004
【図３】
2004274107.tif 000005
【図４】
2004274107.tif 000006
【図５】
2004274107.tif 000007
【図６】
2004274107.tif 000008
【図７】
2004274107.tif 000009
【図８】
2004274107.tif 000010
【図９】
2004274107.tif 000011
【図１０】
2004274107.tif 000012